(57)【要約】      （修正有）【課題】ミント粒、キャンディ、薬剤等の粒状物に適し、片手で開閉を容易に行える携帯用の容器を提供する。【解決手段】容器本体２とこれに対し回転機構４を介して回動して開閉する蓋体３と具え、回転機構４は蓋体３の一対の側壁に形成した軸と容器本体の前記一対の側壁に形成した軸受けとで構成し、蓋体３には開放機構を具え、蓋体３を閉位置に固定する掛止機構５を回転機構４とは離開した位置に設け、前記開放機構は蓋体３の後端表面に形成した押圧部と蓋体３の前記一対の側壁に形成した斜辺部とにより構成し、容器本体の端部壁には蓋体３の開放時に露出する排出口を形成して、前記押圧部を押圧し、掛止機構５による蓋体３と容器本体との係合を解除して蓋体を回動して前記排出口を露出させて内容物の取り出しを可能にした。【選択図】図１
0003143142.tif 000002
【実用新案登録請求の範囲】
【請求項１】
容器本体とこれに対し回転機構を介して回動して開閉する蓋体と具え、これらが互いにスライドして蓋体による容器本体の開閉をなす携帯用容器であって、前記容器本体は底部とこの底部から立設される一対の側壁および一対の端部壁を有し、前記蓋体は表面部と互いに対向する一対の側壁と端部壁を有し、前記回転機構は蓋体の前記一対の側壁に形成した軸と容器本体の前記一対の側壁に形成した軸受けとで構成し、蓋体には開放機構を形成するとともに、蓋体を閉位置に固定する掛止機構を前記回転機構とは離開した位置に設け、前記開放機構は蓋体の後端表面に形成した押圧部と蓋体の前記一対の側壁に形成した斜辺部とにより構成するとともに、容器本体の端部壁には蓋体の開放時に露出する排出口を形成して、前記押圧部を押圧することにより掛止機構による蓋体と容器本体との係合を解除して蓋体を回動して前記排出口を露出させて内容物を排出可能にし    たことを特徴とする携帯用容器。
【請求項２】
請求項１の携帯用容器において、蓋体における前記軸は容器本体の側壁方向に突出する突起で構成し、容器本体における前記軸受けは容器本体の側壁表面に形成した凹部により構成し、前記回転機構と離開した位置に設けられる前記掛止機構は蓋体の前記一対の側壁に形成されて容器本体の側壁方向に突出する突起と容器本体の側壁表面に形成され前記突起が係合される孔部により構成したことを特徴とする携帯用容器。
【請求項３】
請求項１又は２いずれか記載の携帯用容器において、蓋体と容器本体の開口面との間には緩衝手段を介在させ、容器本体の開口面に嵌まりあう前緩衝手段は表面部と互いに対向する一対の側壁と端部壁を有して構成したことを特徴とする携帯用容器。
【考案の詳細な説明】
【技術分野】
【０００１】
本願考案は、菓子類、薬剤類、粒状物、粉状物の携帯用容器に関し、詳しくは、容器本体と蓋体からなり蓋体の開閉を指先で蓋体の表面を押圧するだけでて可能にして、内容物出し入れを容易にした携帯に便利な携帯用小型容器に関するものである。
【背景技術】
【０００２】
従来の菓子類のための小型容器は種々知られている。これらは、キャンディ、ミント類、薬剤その他、小粒状のものあるいは他の小物類を収納して携帯するタイプのものである。
しかしながら、その多くは、蓋体がヒンジにより開閉し携帯時に片手の状態で収納物を簡単に取り出せるものがなく、又、ポケットに入れて携帯する場合にかさばってしまい不便である。
なお、本願考案と関連する技術が次の文献において開示されている。
【特許文献１】実用新案登録第３０４７０７８号公報
【考案の開示】
【考案が解決しようとする課題】
【０００３】
本願考案の目的ないし課題は、片手で簡単に開閉でき、しかも携帯時に衣服に収納または装着してもかさばらない携帯用小型容器の提供にある。
【課題を解決するための手段】
【０００４】
本願考案は、容器本体とこれに対し回転機構を介して回動して開閉する蓋体と具えた携帯用容器であって、前記容器本体は底部とこの底部から立設される一対の側壁および一対の端部壁を有し、前記蓋体は表面部と互いに対向する一対の側壁と端部壁を有し、前記回転機構は蓋体の前記一対の側壁に形成した軸と容器本体の前記一対の側壁に形成した軸受けとで構成し、蓋体には開放機構を形成するとともに、蓋体を閉位置に固定する掛止機構を前記回転機構とは離開した位置に設け、前記開放機構は蓋体の後端表面に形成した押圧部と蓋体の前記一対の側壁に形成した斜辺部とにより構成するとともに、容器本体の端部壁には蓋体の開放時に露出する排出口を形成して、前記押圧部を押圧することにより掛止機構による蓋体と容器本体との係合を解除して蓋体を回動して前記排出口を露出させて内容物を排出可能にした携帯用容器の提供により、上記課題を解決する。
【０００５】
また、上記の携帯用容器において、蓋体における前記軸は容器本体の側壁方向に突出する突起で構成し、容器本体における前記軸受けは容器本体の側壁表面に形成した凹部により構成し、前記回転機構と離開した位置に設けられる前記掛止機構は蓋体の前記一対の側壁に形成されて容器本体の側壁方向に突出する突起と容器本体の側壁表面に形成され前記突起が係合される孔部により構成することがある。
【０００６】
さらに、上記いずれか記載の携帯用容器において、蓋体と容器本体の開口面との間には緩衝手段を介在させ、容器本体の開口面に嵌まりあう前緩衝手段は表面部と互いに対向する一対の側壁と端部壁を有して構成することがある。
【考案の効果】
【０００７】
本願考案にあっては、片手の指だけで蓋体の開閉をなすことができるので、車の運転時を始めとして、いつでもどこでも内容物を容易にとりだすことができる。また、全体として薄型、湾曲形状に形成できるのでポケット類への収納時にもかさばることがない。
【実施例】
【０００８】
次に、図面により本願考案の１実施例を説明する。  図１は、蓋体を閉じた状態にある携帯用容器の斜視図である。  図において、１はアルミ薄板で形成した携帯用容器であり、２は容器本体、３はこの容器本体に嵌まりあった蓋体である。また、４は回転機構、５は
掛止機構であり、これらについては後述する。
【０００９】
図２は、蓋体３を開いた状態にある携帯用容器１の斜視図である。蓋体３は開放機構に対する指先などによる押圧力により開く。前記開放機構は、蓋体３の後端表面に位置する押圧部３aと蓋体３の一対の側壁３ｃ後端に形成した斜辺部３ｂとにより構成されている。        
そして、指先などで、前記押圧部３aを押圧すると、掛止機構５による蓋体３と容器本体２の掛止が開放され、回転機構４を介して蓋体３の端部（図で左端）が上方に回動して容器本体２の前側の端部壁に形成された排出口２aが露出し、この排出口２aから内容物を取り出すことになる。
【００１０】
図３は、容器本体２ならびに容器本体２の開口部上面を覆う緩衝手段の斜視図であり、図３（a）において、６は開口部上面を覆う緩衝手段であり、この緩衝手段６は図３（ｂ）に示すように、後端部が斜面に形成されて、下部が開口する直方体形状をなしていて容器本体２内に嵌まりあうようになっていてプラスチック薄板で形成されている。後端部の斜面は、蓋体３の開閉時に支障を生じさせないためのものである。  なお、図３（a）において、２ｂは容器本体２の一対の側壁２ｄに形成された孔部で、この孔部２ｂに蓋体３の側壁３ｃに形成した突起が嵌まりあうことにより、後述するように掛止機構５を構成する。  さらに、２ｃは容器本体２の一対の側壁２２に形成された凹部で、この凹部２ｃに蓋体３の側壁３ｃに形成した突起が嵌まりあうことにより、後述するように回転機構４を構成する。
【００１１】
図４は容器本体２の斜視図である。この容器本体２は、底部２１とこの底部２１から立設される一対の側壁２２および一対の端部壁２３を有している。  側壁２２の後部の上端には斜辺部２２aが形成されていて、蓋体３が開くときその襄面が衝突しないようになっている。
【００１２】
図５は、携帯用容器１の側面図であり、同図（a）は蓋体３が閉まった状態、同図（ｂ）は蓋体３を開いた状態の側面図である。図５（a）において、３１は蓋体３の一対の側壁の前方（図で左）に形成され内側の蓋体３の側壁方向へ突出する突起、３２は同様に蓋体３の一対の側壁の後方（図で右）に形成され内側の蓋体３の側壁方向へ突出する突起である。  そして、蓋体３の側壁において、図５（ｂ）に示すように前記突起３１に対応する位置に孔部２ｂが形成され、また前記突起３２に対応する位置に凹部が形成され（不図示）ている。  突起３１は孔部２ｂに嵌り合って前述の掛止機構５が構成され、突起３２が蓋体３の側壁における前記凹部に回転可能に嵌り合って回転機構４が構成されている。
【００１３】
次に、上記構成に基づいて図５を中心に当該実施例の作用を説明する。
図５（a）において、指先を蓋体３の表面の後端部（図で右）における解放機構の押圧部３aに当て、ここの部分を圧迫する。この結果、まず、前述の掛止機構５において、容器本体２の孔部２ｂと蓋体３の３１との嵌合が解除され、押圧の継続により、図５（ｂ）に示すように回転機構４における軸としての突起３２と軸受けとしての凹部２ｃを中心にして蓋体３が回転してその前端部（図で左）が上昇して排出口２aが現れて内容物の取出しが可能になる。蓋体３の回転にあたって、解放機構４の斜辺部２２a、３ｂが存在するため、円滑に回転することができる。  蓋体３を閉めるには、蓋体３の前端部を下方に押圧して蓋体３を容器本体２に嵌合させるが、このとき蓋体３の突起３１は容器本体の２の孔部２ｂに嵌り合い、蓋体３は容器本体２に掛止される。  
【００１４】
上記の実施例では、容器本体２、蓋体３の素材を金属材とする例を述べたが、樹脂、紙等の素材も使用できる。
【図面の簡単な説明】
【００１５】
【図１】蓋体を閉じた状態にある携帯用容器の斜視図である。
【図２】蓋体３を開いた状態にある携帯用容器１の斜視図である。
【図３】容器本体２ならびに容器本体２の開口部上面を覆う緩衝手段の斜視図である。
【図４】容器本体２の斜視図である。
【図５】携帯用容器１の側面図であり、同図（a）は蓋体３が閉まった状態、同図（ｂ）は蓋体３を開いた状態の側面図である。
【符号の説明】
【００１６】
１．．．．．．．．携帯用容器
２．．．．．．．．容器本体
２ａ．．．．．．．排出口
２ｂ．．．．．．．孔部
２ｃ．．．．．．．凹部
３．．．．．．．．蓋体
３ａ．．．．．．．押圧部
４．．．．．．．．回転機構
５．．．．．．．．掛止機構
３１，３２．．．．突起
【図１】
0003143142.tif 000003
【図２】
0003143142.tif 000004
【図３】
0003143142.tif 000005
【図４】
0003143142.tif 000006
【図５】
0003143142.tif 000007